(57)【要約】      （修正有）【課題】コンパクトな構造ながら魚の食いつきを高められ、釣果を得られて娯楽性が向上する上、経済的で使い勝手に優れたルアー用ブレードを提供する。【解決手段】フック５が嵌挿自在なフック用貫通孔３が、ブレード２の厚さ方向に形成されている。フック用貫通孔３には、トリプルフック５０の１本の針先５５が嵌挿されていると共に、トリプルフックの前端環状部５２とブレード２の接続用貫通孔２４の両方に、共通するスプリットリング４０が共締めされることにより、トリプルフックがブレードに固定され、且つスプリットリング４０に接続されたスイベル６を介して、ルアー本体に回動自在に接続されている。【選択図】図１
0003204083.tif 000002
【実用新案登録請求の範囲】
【請求項１】
ルアー本体及び、前部に形成された接続用貫挿孔を介して前記ルアー本体に接続されるブレード、並びにフックが備えられて成るルアーの前記ブレードにおいて、
前記フックが嵌挿自在なフック用貫通孔が、当該ブレードの厚さ方向に形成された構成であることを特徴とするルアー用ブレード。
【請求項２】
フック用貫通孔にフックの針先が嵌挿されていると共に、当該フックの前端環状部とブレードの接続用貫挿孔の両方に、共通する接続用リングが共締めされることにより、前記フックがブレードに固定されていることを特徴とする、請求項１に記載したルアー用ブレード。
【請求項３】
フック用貫通孔にトリプルフックの１本の針先が嵌挿されていると共に、当該トリプルフックの前端環状部とブレードの接続用貫通孔の両方に、共通するスプリットリングが共締めされることにより、前記トリプルフックがブレードに固定され、且つ前記スプリットリングに接続されたスイベルを介して、ルアー本体に回動自在に接続されていることを特徴とする、請求項１に記載したルアー用ブレード。
【請求項４】
フック用貫通孔は、ブレードの略中央に形成されていることを特徴とする、請求項１〜３のいずれか１項に記載したアー用ブレード。
【請求項５】
接続用貫通孔からフック用貫通孔までの長さは、フックの軸長と略同じであることを特徴とする、請求項１〜３のいずれか１項に記載したアー用ブレード。
【請求項６】
フック用貫通孔は、フックの針先が１本嵌挿可能な大きさに形成されていることを特徴とする、請求項１〜５のいずれか１項に記載したアー用ブレード。
【考案の詳細な説明】
【技術分野】
【０００１】
本考案はルアー用ブレードに係り、さらに言えば、コンパクトな構造で魚の食いつきを高められ、釣果を向上するルアーに用いられるブレードの技術分野に関する。
【背景技術】
【０００２】
近年ルアー（疑似餌）を使って釣りを楽しむ者が増えてきている。ルアーに取り付けられるブレード（回転体）は、水流の力が加わると、水中で回転しながら光を反射したり、振動波や音、泡を起こして、対象魚に対し高い集魚効果が得られる。
【０００３】
前記ルアー（ブレード）に関する出願として、例えば特許文献１には、「ルアー本体の後部にあるフック係止部に、連結用リングを介して取り付けたトリプルフックに、両軸体を互いに回転自在に連結してなる回転自在ジョイントの一方の棒状軸体が直接取り付けられており、その回転自在ジョイントの他方の環状軸体から連結用リングを介して集魚体であるブレードが連結されている、ことを特徴とするルアー」が記載されている（同文献１の実用新案登録請求の範囲の請求項１）。
【０００４】
また、特許文献２には、「ルアー本体と前記ルアー本体に連結されたブレードとを有するルアーであって、前記ルアー本体に対して前記ブレードと釣針が揺動可能に接続され、当該ブレードに直接針が取り付けられておらず、前記釣針は前記ブレードを横断して延在している、ことを特徴とするルアー」が記載されている（同文献２の実用新案登録請求の範囲の請求項１）。
【先行技術文献】
【特許文献】
【０００５】
【特許文献１】登録実用新案第３１３３６９９報
【特許文献２】登録実用新案第３１０５００３号公報
【考案の概要】
【考案が解決しようとする課題】
【０００６】
前記特許文献１に記載された発明のルアーは、ブレードによって引きつけられ、ブレードに食いついた魚が、ブレードより前に針が付いているので、魚が針にかかりにくい。特許文献２の発明のルアーは、ブレードに直接針が取り付けられておらず、針はブレードを横断して延在している形態なので、やはりブレードによって引きつけられ、ブレードに食いついた魚が、ブレードとは別で後方に位置して回転する前記の針にかかりにくい問題がある。
【０００７】
また、特許文献１と同２のルアーは、針とブレードが分かれているため空気抵抗を多く受け、キャスト時に飛距離が出ない点や、ルアーの構造が複雑で、ライン（釣糸）が絡んだりするライントラブルが起こりやすいといった点も指摘されている。
【０００８】
したがって、本考案が解決しようとする課題は、コンパクトな構造でライントラブルがなく飛距離が出せて、魚の食いつきを高められ娯楽性が向上する上、経済的で使い勝手に優れたルアー用ブレードを提供することにある。
【課題を解決するための手段】
【０００９】
上記課題を解決するための手段として、請求項１記載の考案のルアー用ブレードは、ルアー本体１及び、前部２３に形成された接続用貫挿孔２４を介して前記ルアー本体１に接続されるブレード２、並びにフック５が備えられて成るルアーの前記ブレード２において、前記フック５が嵌挿自在なフック用貫通孔３が、当該ブレード２の厚さ方向に形成された構成であることを特徴とする。
【００１０】
請求項２に記載した考案のルアー用ブレードは、前記フック用貫通孔３にフック５の針先５５が嵌挿されていると共に、当該フック５の前端環状部５２とブレード２の接続用貫挿孔２４の両方に、共通する接続用リング４が共締めされることにより、前記フック５がブレード２に固定されていることを特徴とする。
【００１１】
請求項３に記載した考案のルアー用ブレードは、前記フック用貫通孔３にトリプルフック５０の１本の針先５５が嵌挿されていると共に、当該トリプルフック５０の前端環状部５２とブレード２の接続用貫通孔２４の両方に、共通するスプリットリング４０が共締めされることにより、前記トリプルフック５０がブレード２に固定され、且つ前記スプリットリング４０に接続されたスイベル６を介して、ルアー本体１に回動自在に接続されていることを特徴とする。
【００１２】
請求項４に記載した考案のルアー用ブレードは、前記フック用貫通孔３が、ブレード２の略中央２５に形成されていることを特徴とする。
【００１３】
請求項５に記載した考案のルアー用ブレードは、前記接続用貫通孔２４からフック用貫通孔３までの長さが、フック５（５０）の軸長Ｌと略同じであることを特徴とする。
【００１４】
請求項６に記載した考案のルアー用ブレードは、前記フック用貫通孔３につき、フック５（５０）の針先５５が１本嵌挿可能な大きさに形成されていることを特徴とする。
【考案の効果】
【００１５】
本考案に係るルアー用ブレードは、フックが嵌挿自在なフック用貫通孔が、当該ブレードの厚さ方向に形成され、前記フック用貫通孔にトリプルフック等のフックの針先（１本）が嵌挿されていると共に、当該フックの前端環状部とブレードの接続用貫挿孔の両方に、共通する接続用リング（スプリットリング）が共締めされることにより、前記フックがブレードに固定されて一体化しているコンパクト構造なので、空気抵抗も減り飛距離が出せる上、ラインが絡みにくくトラブルが減る。このブレードに集まった魚は、同ブレード上に固定されたフックにひっかかり易く、釣果を得られて楽しい上、経済的で扱い易い。
【００１６】
また、当該ブレードは、スプリットリングに接続されたスイベルを介して、フックとブレードが一緒に回転するので、前記ブレードのフックに食いついた魚が暴れた際に追従して外れにくい。
【００１７】
さらに、フックはブレードにスプリットリングで固定してあるので、フックが錆びたり、針先が鋭くなくなった際には、当該スプリットリングをプライヤー等の工具で簡単に取り外し、フックを交換できる利便性にも優れている。
【図面の簡単な説明】
【００１８】
【図１】本考案のルアー用ブレードを示した全体図である。
【００１９】
【図２】ブレードを示した裏面図である。
【００２０】
【図３】ブレードを示した側面図である。
【００２１】
【図４】ブレードのフックへの魚の食いつき作用を示した説明図である。
【００２２】
【図５】トリプルフックの構造を示した下面図である。
【００２３】
【図６】本考案のルアー用ブレードの使用状態を示した説明図である。
【００２４】
【図７】Ａは本考案のブレードの回転状態、Ｂは従来のブレードの回転状態、Ｃは前記ＡとＢを合体して回転の差異を示した説明図である。
【考案を実施するための最良の形態】
【００２５】
本考案のルアー用ブレードの好適な実施形態について、以下図面にしたがいながら説明する。
【００２６】
図１は、ルアー用ブレードの全体図を示している。このブレードは、ルアー本体１とブレード２、並びに釣針たるフック５が備えられて構成されている。フック５として好適なトリプルフック５０について以下説明する。なお、当該トリプルフック５０の各針５１の針先５５は、図５に示したように一定方向にひねられたネムリ針を使用することで、後述するブレード２の右回転と左回転を制御できる。
【００２７】
本実施形態のブレード２は、図２と図３に示したように、厚さ０．５ｍｍ、全長３５ｍｍの例えばステンレス製で成り、全体形状が木の葉状に形成されている。ブレード２の若干膨らんだ表面２１に対し、裏面２２は、若干湾曲するカップ（凹み）に形成されている。その前部２３には、ルアー本体１に接続できるように、φ＝２ｍｍの接続用貫挿孔２４が厚さ方向に形成され、当該接続用貫挿孔２４を介して前記ルアー本体１にブレード２は接続自在となっている（図６）。
【００２８】
当該ブレード２の略中央２５において、前記フック５が嵌挿自在なフック用貫通孔３が、厚さ方向に形成されている。すなわち、このフック用貫通孔３は、フック５の針先５５が１本嵌挿可能な大きさとして、φ＝３ｍｍの円形状範囲がブレード２を厚さ方向に貫通して形成されている。フック５は、図示例のトリプルフック５０が好適である。但し、図示を省略したシングルフックやダブルフック等であってもよい。
【００２９】
前記の接続用貫通孔２４からフック用貫通孔３までの長さは、トリプルフック５０（フック５）の軸長Ｌと略同じで約１５ｍｍである（図４参照）。詳述すると、この軸長Ｌは、当該フック５０の「チモト」と呼ばれる基端に形成された前端環状部５２の中央から、腰部５４までの軸部５３の長さ（符号Ｌで示した部分）である。よって、前記トリプルフック５０の前端環状部５２は、ブレード２の接続用貫通孔２４に位置を同じくした際、トリプルフック５０の腰部５４がフック用貫通孔３の位置となるように形成されている。すなわち、フック用貫通孔３の位置は、トリプルフック５０の軸長Ｌに応じて設定すればよい。
【００３０】
かくして、ブレード２の裏面２２から、前記フック用貫通孔３にトリプルフック５０の１本の針先５５が嵌挿されると、当該トリプルフック５０の前端環状部５２が接続用貫通孔２４の位置と合致される（図２、図４参照）。そのため、かかる状態で、当該フック５０の前端環状部５２とブレード２の接続用貫挿孔２４の両方に、共通するスプリットリング４０（接続用リング４）が共締めされることにより、前記トリプルフック５０がブレード２の納まりのいい凹状カップの裏面２２に固定され、トリプルフック５０とブレード２が一体化されている。ただ、トリプルフック５０の針先５５に食いついた魚が暴れて動く遊びがあった方がいいので、トリプルフック５０（針先５５）がフック用貫通孔３内で若干動く余裕をもって固定されている。
【００３１】
そして、図６に示したように、前記スプリットリング４０にスイベル６が接続され、同スイベル６を介して、フック５と一体化された本ブレード２は、ルアー本体１に対し回動自在に接続されている。同図中符号ｋで示したように正回転又は逆回転する。ルアー本体１は、釣糸たるライン７に接続されているほか、同図々示例のようにフック５が通常取り付けられている。
【００３２】
このブレード２を用いた場合の魚の食いつき状況について、図４により説明する。同図中符号ａで示したように、魚のフック５１（針先５５）にかかる力が加わると、ブレード２の水の抵抗ｃにより、フック５１が逃げようとする力ｂが抑えられるので、魚がフック５１（針先５５）から離脱しずらく、食いつきが良好である。
【００３３】
次に、トリプルフック５０と一体化された本ブレード２の回転状況を、従来例と比較して図６により説明する。同じ大きさ、カップ（凹み）で本考案のブレード２の回転径ｋと従来のブレード２´の回転径ｋ´を比較すると、トリプルフック５０付きの本ブレード２の回転径ｅに対して、大きい従来のブレード２´のみの回転径ｆのように、回転径に差ｇが生じるため、回転によるブレードの立上り角度が異なる。
【００３４】
すなわち、ブレード２にトリプルフック５０を取り付けた本実施形態によっても、ブレード２の回転ｋでの立上り角度が、図７（Ａ）中符号ｄで示したトリプルフック５０の整流効果によって回転角度が浅くなり回転径ｅを小さくできるので、本ブレード２が回転するまでの時間や回転スピード、回転ピッチは、ブレード２´単体時に劣らない。この現象は、ブレードのカップや形状の調整では無理であり、トリプルフック５０付きの本ブレード２の優れた特長である。
【符号の説明】
【００３５】
１      ルアー本体
２      ブレード
２２    裏面
２３    前部
２４    接続用貫通孔
２５    略中央
３      フック用貫通孔
４      接続用リング
４０    スプリットリング
５      フック
５０    トリプルフック
５２    前端環状部
５５    針先
Ｌ      軸長
６      スイベル
【図６】
0003204083.tif 000003
【図７】
0003204083.tif 000004
【図１】
0003204083.tif 000005
【図２】
0003204083.tif 000006
【図３】
0003204083.tif 000007
【図４】
0003204083.tif 000008
【図５】
0003204083.tif 000009